(57)【要約】【課題】  大きすぎて加圧装置を通過できず加圧装置外側に突き出ている氷が係止部材に引っ掛かりながら砕けて、その大きさが小さくなり加圧装置を通過できることにより、氷の供給が円滑に行われるようにした氷供給装置およびこれを備えた冷蔵庫を提供する。【解決手段】  一側に氷が排出される排出口が形成された氷貯蔵箱と、前記氷貯蔵箱の内部に設置されて回転しながら氷を前記排出口側に移送させる移送装置と、前記排出口側に配置されて前記排出口側に移送された氷を粉砕する氷粉砕装置と、中空円筒状で形成されて内部の氷を前記氷粉砕装置により加圧して押し込む加圧装置と、前記加圧装置の氷が流入される入口側の外側に突き出た氷に引っ掛かるように設けられる係止部材とを含む。【選択図】      図１ 
2005345088.tif 000002
【特許請求の範囲】
【請求項１】
一側に氷が排出される排出口が形成された氷貯蔵箱と、前記氷貯蔵箱の内部に設置されて回転しながら氷を前記排出口側に移送させる移送装置と、前記排出口側に配置されて前記排出口側に移送された氷を粉砕する氷粉砕装置と、中空円筒状で形成されて内部の氷を前記氷粉砕装置により加圧して押し込む加圧装置と、前記加圧装置の氷が流入される入口側の外側に突き出た氷に引っ掛かるように設けられる係止部材とを含むことを特徴とする氷供給装置。
【請求項２】
前記係止部材は、前記氷貯蔵箱に固定される固定部と、前記固定部から延長されて前記加圧装置の半径方向内側に突き出ている係止部とを含むことを特徴とする請求項１に記載の氷供給装置。
【請求項３】
前記加圧装置は、中空円筒状で形成された案内部と、前記案内部の内側に螺旋状で形成されて回転しながら前記案内部内側の氷を加圧して前記粉砕装置に押し込む羽根部とを含むことを特徴とする請求項１に記載の氷供給装置。
【請求項４】
前記移送装置は、螺旋状で形成された螺旋軸と、前記螺旋軸の一端に設置されて前記螺旋軸を回転させる駆動モーターを含むことを特徴とする請求項１に記載の氷供給装置。
【請求項５】
外観をなして内部に貯蔵物を冷凍貯蔵するための冷凍室が設けられた本体と、前記本体一側に設けられて前記冷凍室を開閉するドアと、前記冷凍室に設けられて氷を製造する製氷装置と、前記ドアを開放せずに前記製氷装置で製造された氷を外部に供給できる氷供給装置とを含むが、前記氷供給装置は一側に氷が排出される排出口が形成された氷貯蔵箱と、前記氷貯蔵箱の内部に設けられて回転しながら氷を前記排出口側に移送させる螺旋部材と、前記排出口側に配置されて前記排出口側に移送された氷を粉砕する氷粉砕装置と、中空円筒状で形成されて内部の氷を前記氷粉砕装置により加圧して押し込む加圧装置と、前記加圧装置の氷が流入される入口側外側に突き出た氷に引っ掛かるように設けられる係止部材とを含むことを特徴とする冷蔵庫。
【請求項６】
前記係止部材は、前記氷貯蔵箱に固定される固定部と、前記固定部から延長されて前記加圧装置の半径方向内側に突き出ている係止部とを含むことを特徴とする請求項５に記載の冷蔵庫。
【請求項７】
前記加圧装置は、中空円筒状で形成された案内部と、前記案内部内側に螺旋状で形成されて回転しながら前記案内部内側の氷を加圧して前記粉砕装置に押し込む羽根部とを含むことを特徴とする請求項５に記載の冷蔵庫。
【請求項８】
前記移送装置は、螺旋状で形成された螺旋軸と、前記螺旋軸の一端に設けられて前記螺旋軸を回転させる駆動モーターとを含むことを特徴とする請求項５に記載の氷供給装置。
【発明の詳細な説明】
【技術分野】
【０００１】
本発明は、氷供給装置およびこれを備えた冷蔵庫に関し、さらに詳細には氷の供給が円滑に行われ得る氷供給装置およびこういう氷供給装置を備えた冷蔵庫に関する。
【背景技術】
【０００２】
一般に、冷蔵庫は内部に冷凍サイクル構成要素を含んでおり、冷気を発生して内部に貯蔵された被貯蔵部を冷蔵または冷凍貯蔵できる装置である。
【０００３】
最近、このような冷蔵庫の中で内部に氷を製造する製氷装置と、前記製氷装置で製造された氷をドアを開放せずに外部に供給できる氷供給装置とを含む冷蔵庫が開示されつつある。
【０００４】
氷供給装置は、製氷装置で製造された氷を入れておき一側に氷が排出された排出口が設けられた氷貯蔵箱と、前記氷貯蔵箱内に配置されている氷を排出口に移送させる移送部材と、排出口に配置されて移送部材により移送された氷を粉砕する粉砕装置と、氷を加圧して粉砕装置に押し込む加圧装置などの構成要素を含むが、この際、加圧装置は中空円筒状で形成されて内部に氷を加圧できるような螺旋状の羽根部が含まれて羽根部の回転により羽根部が内部の氷を加圧して粉砕装置に押し込めるようになっている。
【０００５】
ところが、前記冷蔵庫の氷供給装置において、製氷装置で製造された氷が氷貯蔵箱に長時間保管される場合、氷が凍りついてしまいその大きさが大きくなる場合が発生するが、このように大きくなった氷が加圧装置に案内される場合には加圧装置の内部を通過できず加圧装置の入口を塞いで氷の供給を遅延させてしまう問題点があった。
【発明の開示】
【発明が解決しようとする課題】
【０００６】
従って、本発明は、前述した従来の問題点を解決するために案出されたものであり、氷の供給が円滑に行われ得る氷供給装置およびこれを備えた冷蔵庫を提供することにその目的がある。
【課題を解決するための手段】
【０００７】
前記目的を達成するために、本発明の氷供給装置は、一側に氷が排出される排出口が形成された氷貯蔵箱と、前記氷貯蔵箱の内部に設置されて回転しながら氷を前記排出口側に移送させる移送装置と、前記排出口側に配置されて前記排出口側に移送された氷を粉砕する氷粉砕装置と、中空円筒状で形成されて内部の氷を前記氷粉砕装置により加圧して押し込む加圧装置と、前記加圧装置の氷が流入される入口側の外側に突き出た氷に引っ掛かるように設けられる係止部材とを含むことを特徴とする。
【０００８】
かつ、前記係止部材は、前記氷貯蔵箱に固定される固定部と、前記固定部から延長されて前記加圧装置の半径方向内側に突き出ている係止部とを含むことを特徴とする。
【０００９】
かつ、前記加圧装置は、中空円筒状で形成された案内部と、前記案内部の内側に螺旋状で形成されて回転しながら前記案内部内側の氷を加圧して前記粉砕装置に押し込む羽根部とを含むことを特徴とする。
【００１０】
かつ、前記移送装置は、螺旋状で形成された螺旋軸と、前記螺旋軸の一端に設置されて前記螺旋軸を回転させる駆動モーターを含むことを特徴とする。
【００１１】
かつ、本発明による冷蔵庫は、外観をなして内部に貯蔵物を冷凍貯蔵するための冷凍室が設けられた本体と、前記本体一側に設けられて前記冷凍室を開閉するドアと、前記冷凍室に設けられて氷を製造する製氷装置と、前記ドアを開放せずに前記製氷装置で製造された氷を外部に供給できる氷供給装置とを含むが、前記氷供給装置は一側に氷が排出される排出口が形成された氷貯蔵箱と、前記氷貯蔵箱の内部に設けられて回転しながら氷を前記排出口側に移送させる螺旋部材と、前記排出口側に配置されて前記排出口側に移送された氷を粉砕する氷粉砕装置と、中空円筒状で形成されて内部の氷を前記氷粉砕装置により加圧して押し込む加圧装置と、前記加圧装置の氷が流入される入口側外側に突き出た氷に引っ掛かるように設けられる係止部材とを含むことを特徴とする。
【００１２】
かつ、前記係止部材は、前記氷貯蔵箱に固定される固定部と、前記固定部から延長されて前記加圧装置の半径方向内側に突き出ている係止部とを含むことを特徴とする。
【００１３】
かつ、前記加圧装置は、中空円筒状で形成された案内部と、前記案内部内側に螺旋状で形成されて回転しながら前記案内部内側の氷を加圧して前記粉砕装置に押し込む羽根部とを含むことを特徴とする。
【００１４】
かつ、前記移送装置は、螺旋状で形成された螺旋軸と、前記螺旋軸の一端に設けられて前記螺旋軸を回転させる駆動モーターとを含むことを特徴とする。
【発明の効果】
【００１５】
本発明に係る氷供給装置及びこれを備えた冷蔵庫は、一定以上のサイズをもつ氷が発生して該氷が氷供給装置の加圧装置を通過できず引っ掛かってしまい加圧装置の外側に突き出される場合、羽根部の回転により突き出されている氷が羽根部と共に回転することにより、前記突き出ていた部位が係止部材に引っ掛かって粉砕されて氷の大きさが小さくなり、氷の供給がより円滑に行われる作用効果がある。
【発明を実施するための最良の形態】
【００１６】
以下、本発明に係る好ましい実施形態を添付図面を参照しつつ詳細に説明する。
【００１７】
本発明による冷蔵庫は、図１に示したように、外観をなして内部に食べ物を貯蔵できるように前方側が開放されて冷凍室１１を形成する本体１０と、本体１０の一側にヒンジ結合されて回動し冷凍室１１を開閉するドア２０とを具備し、本体１０内には冷気を発生するために圧縮機１２、凝縮器(図示せず)、蒸発器１３、膨張バルブ(図示せず)などの冷凍サイクルの構成要素が設置され、これらを通じて生成された冷気により冷凍室１１の内部を冷却させる仕組みとなっている。本実施例において、圧縮機１２は本体１０の下部に配置され、蒸発器１３は冷凍室１１の後方側に配置されている。
【００１８】
かつ、本発明による冷蔵庫において、冷凍室１１の上部に氷を製造する製氷器３０が設けられ、製氷装置３０の下部には製造された氷を入れておき必要な時に氷を外部に排出させる氷供給装置４０が設けられており、ドア２０には使用者がドア２０を開けずに製氷装置３０で製造された氷を取り出せるように冷凍室１１内部と連通されて氷の排出を導く排出案内管２１が設けられ、ドア２０の前面には排出案内管２１を通じて排出される氷を受けやすく内側に窪んでいる氷排出部２２が設けられる。
【００１９】
氷供給装置４０は、図２及び３に示したように、上部の製氷装置３０で落下した氷が入れられその前方側に氷の排出のための排出口４１ａが形成された氷貯蔵箱４１と、氷貯蔵箱４１に入っている氷を排出口４１ａ側に移動させる移送装置４２と、排出口４１ａに配置されて排出口４１ａを通じて排出される氷を選択的に粉砕する粉砕装置４３と、粉砕装置４３と並んで配置されて氷を加圧して粉砕装置４３に押し込む加圧装置４４とを含む。
【００２０】
氷貯蔵箱４１は上側の製氷装置３０で落下した氷を受け取れるように上側が開放されており、その下面と側面は移送装置４２により氷貯蔵箱４１に入っている氷が等しく移動できるように半円状の曲面で形成される。
【００２１】
移送装置４２は氷を移送できるように螺旋状で形成された螺旋軸４２ａと、氷貯蔵箱４１の排出口４１ａの他側に配置され螺旋軸４２ａの一端が配置されて螺旋軸４２ａを回転させる駆動モーター４２ｂとを含み、駆動モーター４２ｂの回転により螺旋軸４２ａが回転しながら氷を排出口４１ａ側に移送させるようになる。
【００２２】
加圧装置４４は中空円筒状で形成されて氷を導く案内部４４ａと、案内部４４ａの内側に配置されて回転しながら氷を加圧しその氷を粉砕装置に押し込む螺旋状の羽根部４４ｂとを含む。この際、羽根部４４ｂは螺旋軸４２ａに設けられ螺旋軸４２ａの回転に従って回転しながら氷に力を加えて氷を粉砕装置４３に押し込む仕組みとなっている。かつ、加圧装置４４には粉砕された氷が排出口４１ａ側に吐き出されるように、一側下部に吐出口４４ｃが設けられている。
【００２３】
粉砕装置４３は氷貯蔵箱４１の排出口４１ａ側に固定された固定カッター４３ａと、螺旋軸４２ａと共に回動する回動カッター４３ｂとを含み、回動カッター４３ｂの回転時に加圧装置４４により粉砕装置４３内に流入された氷が固定カッター４３ａと回動カッター４３ｂの間に挟まれて粉砕された後に吐出口４４ｃを通じて排出口４１ａ側に吐き出されるようになる。
【００２４】
かつ、粉砕されない大きい氷や細かく粉砕された氷が選択的に排出されるように、粉砕装置４３の吐出口４４ｃの開閉程度を調節する吐出口開閉装置４５を具備する。
【００２５】
吐出口開閉装置４５は、粉砕装置４３の吐出口側に回動可能に結合される開閉部材４５ａと開閉部材４５ａを動作させるために氷貯蔵箱４１の側面に回動可能に設けられた連結棒４５ｂと、連結棒４５ｂを所定区間だけ回動させて開閉部材を動作させるように氷貯蔵箱４１の後方一側に設けられたソレノイド駆動装置４５ｃとを含み、ソレノイド駆動装置４５ｃにより連結棒４５ｂが回転しながら開閉部材４５ａを回転させて排出口４１ａを開閉させることができる。
【００２６】
なお、本発明による氷供給装置４０は、加圧装置４４の外側に突き出た、氷に引っ掛かるように設けられる係止部材４６を含む。係止部材４６は氷が流入される案内部４４ａの入口側に隣接して配置されており、案内部４４ａに引っ掛かってその一部が案内部４４ａ外側に突き出ている状態の氷に引っ掛かるようになっている。
【００２７】
従って、氷が一定以上のサイズに形成されて加圧装置４４の案内部４４ａと羽根部４４ｂの間の空間を通過できず案内部４４ａの外側に突き出ている場合、この状態の氷が羽根部４４ｂの回転により羽根部４４ｂと共に回転しながら前記突き出た部分が係止部材４６に引っ掛かってしまい、これにより氷の突き出た部位が係止部材４６により力を受けて氷の大きさが小さくなり、よって氷が案内部４４ａと羽根部４４ｂの間の空間を通過できるようになる。
【００２８】
本実施例において、このような係止部材４６は氷貯蔵箱４１に固定設置される固定部４６ａと、固定部４６ａから一体で延長され案内部４４ａの半径方向内側に突き出て加圧装置４４を通過できず案内部４４ａの外側に突き出ている状態の氷が引っ掛かる係止部４６ｂとから構成されている。
【００２９】
以上、前述したように、本発明による氷供給装置及びこれを備えた冷蔵庫は一定以上のサイズをもつ氷が発生し該氷が氷供給装置の加圧装置を通過できず引っ掛かってしまい加圧装置の外側に突き出ている場合、羽根部の回転により突き出ている氷が羽根部と共に回転することにより、前記突き出ている部位が係止部材に引っ掛かりながら砕けて氷の大きさが小さくなり、氷の供給がより円滑に行われるようになる作用効果がある。
【図面の簡単な説明】
【００３０】
【図１】本発明に係る冷蔵庫の構成を示した断面図である。
【図２】本発明に係る氷供給装置の断面図である。
【図３】本発明に係る氷供給装置の斜視図である。
【符号の説明】
【００３１】
１０    本体
１１    冷凍室
１２    圧縮機
１３    蒸発器
２０    ドア
２１    排出案内管
２２    氷排出部
３０    製氷装置
４０    氷供給装置
４１    氷貯蔵箱
４１ａ  排出口
４２    移送装置
４２ａ  螺旋軸
４２ｂ  駆動モーター
４３    粉砕装置
４３ａ  固定カッター
４３ｂ  回動カッター
４４    加圧装置
４４ａ  案内部
４４ｂ  羽根部
４４ｃ  吐出部
４５    吐出口開閉装置
４５ａ  開閉部材
４５ｂ  連結棒
４５ｃ  駆動装置
４６    係止部材
４６ａ  固定部
４６ｂ  係止部
【図１】
2005345088.tif 000003
【図２】
2005345088.tif 000004
【図３】
2005345088.tif 000005